(57)【要約】【課題】制御ケーブルを暖める電流を巻き上げモータからの回生電力から供給し、制御ケーブルの暖めすぎを防止すること。【解決手段】制御ケーブル装置５０は昇降路２内に設けられ、制御盤１０とエレベータのかご７とを配線する制御ケーブル２０と、制御ケーブル２０の内部に設けられると共に、電流が流れることにより制御ケーブル２０を暖めるニクロム線３４と、制御ケーブル２０の温度を検出して温度検出信号を発生する温度検出器５８と、かご７を駆動するモータ３からの回生電流をニクロム線３４に流すヒータ用トランジスタ６４と、温度検出信号に基づいてヒータ用トランジスタ６４からニクロム線３４に流れる電流を制御する制御部６０とを備える。【選択図】  図４
2010241531.tif 000002
【特許請求の範囲】
【請求項１】
昇降路内に設けられると共に、制御盤とエレベータのかごとを配線する制御ケーブルと、
前記制御ケーブルの内部に設けられると共に、電流が流れることにより該制御ケーブルを暖めるヒータ手段と、
前記制御ケーブルの温度を検出して温度検出信号を発生する温度検出手段と、
前記かごを駆動するモータからの回生電流を前記ヒータ手段に流す回生電流供給手段と、
前記温度検出信号に基づいて前記回生電流供給手段から前記ヒータ手段に流れる電流を制御する制御手段と、
を備えたことを特徴とするエレベータの制御ケーブル装置。
【請求項２】
前記温度検出手段は、前記制御ケーブルの内部に設けられた金属線である、
ことを特徴とする請求項１に記載のエレベータの制御ケーブル装置。
【発明の詳細な説明】
【技術分野】
【０００１】
本発明は、エレベータの制御ケーブル装置に関するものである。
【背景技術】
【０００２】
従来のエレベータの制御ケーブル装置は下記特許文献１に示すように、制御ケーブルの被覆を暖めるヒータ線を内部に設けて、このヒータ線により適宜被覆を暖めるようにしたもので、被覆の固さ調整することにより、制御ケーブルの自重径の増加により昇降路壁に干渉しない程度にしている。これにより、制御ケーブルの自重径を調整でき、もってかごが最下階に近づいても制御ケーブルが膨らみ昇降路壁等と干渉するといった不具合を防止することができる。
【先行技術文献】
【特許文献】
【０００３】
【特許文献１】特開１１−７１０７０号公報
【発明の概要】
【発明が解決しようとする課題】
【０００４】
しかしながら、上記特許文献１のものは、制御ケーブルの被覆を暖めるためのヒータ線に通電するため、消費電力が増加していた。加えて、ヒータ線の温度制御がないため制御ケーブルを暖めすぎるおそれもあった。
【０００５】
本発明は、上記課題を解決するためになされたもので、制御ケーブルを暖める電流を巻き上げモータからの回生電力から供給すると共に、制御ケーブルの暖めすぎを防止するエレベータの制御ケーブル装置を得ることを課題としている。
【課題を解決するための手段】
【０００６】
本発明に係るエレベータの制御ケーブル装置は、昇降路内に設けられると共に、制御盤とエレベータのかごとを配線する制御ケーブルと、
前記制御ケーブルの内部に設けられると共に、電流が流れることにより該制御ケーブルを暖めるヒータ手段と、
前記制御ケーブルの温度を検出して温度検出信号を発生する温度検出手段と、
前記かごを駆動するモータからの回生電流を前記ヒータ手段に流す回生電流供給手段と、
前記温度検出信号に基づいて前記回生電流供給手段から前記ヒータ手段に流れる電流を制御する制御手段と、
を備えたものである。
【０００７】
本発明のエレベータの制御ケーブル装置によれば、温度検出手段が制御ケーブルの温度を検出して温度検出信号を発生し、制御手段が温度検出信号に基づいて回生電流供給手段からかごを駆動するモータからの回生電流をヒータ手段に流すと共に、ヒータ手段に流れる電流を制御したので、制御ケーブルを暖める電流を巻き上げモータからの回生電力から供給して省電力化を図ると共に、制御ケーブルの暖めすぎを防止できる。
【発明の効果】
【０００８】
本発明のエレベータの制御ケーブル装置によれば、制御ケーブルを暖める電流を巻き上げモータからの回生電力から供給すると共に、制御ケーブルの暖めすぎを防止できる。
【図面の簡単な説明】
【０００９】
【図１】本発明の一実施の形態におけるエレベータの全体図である。
【図２】図１に示す制御ケーブルの横断面図である。
【図３】図１に示す制御ケーブルにおけるヒータ線の斜視図である。
【図４】図１に示す制御ケーブのヒータに電流を流すケーブル装置の結線図である。
【発明を実施するための形態】
【００１０】
実施の形態１．
本発明の一実施の形態を図１から図４によって説明する。図１は一実施の形態におけるエレベータの全体図、図２は図１に示す制御ケーブルの断面図、図３は図１に示す制御ケーブルにおけるヒータ線の斜視図、図４は図１に示す制御ケーブのヒータに電流を流すケーブル装置の結線図である。
図１において、エレベータは、モータ３により駆動される巻き上げ機５と、モータ３を駆動制御する制御盤１０とを有している。巻き上げ機５のシーブには、ロープ６が巻き掛けられて、ロープ６の一端にかご７が固定され、ロープ６の他端に釣合い錘９が固定されている。
そして、昇降路２には、制御盤１０とかご７の底部を接続する制御ケーブル２０を有している。
【００１１】
図２において、制御ケーブル２０は、外側の絶縁被覆２２と、絶縁被覆２２内に設けられた多数の絶縁電線を有する電線部２４とを有している。制御ケーブル２０には、各端部それぞれにヒータ部３０が設けられると共に、電線部２４同士の間にもヒータ部３０を有している。
図３において、ヒータ部３０には、芯部３２に巻かれたヒータ手段としてのニクロム線３４と、ニクロム線３４を絶縁して被覆する第１の被覆部３６とを有している。この第１の被覆部３６に巻かれた温度検出手段としての金属線３８を有し、金属線３８を絶縁して被覆する第２の被覆部３９を有している。
【００１２】
図４において、ケーブル装置５０は、三相交流電源ｅを整流するコンバータ５２を有している。このコンバータ５２の出力には、コンデンサ５４と、直流電圧を可変周波数可変電圧の交流に変換してモータ３を駆動するインバータ５７と、コンバータ５２の出力電圧を検出して予め定められた基準電圧信号よりも高いとモータ３が回生状態と判断すると、回生信号を発生してモータ３が回生であることを判別する回生判別手段としての電圧検出器５９が並列に接続されている。また、コンバータ５２の出力には、モータ３から発生した回生電力を消費する回生抵抗５６が回生トランジスタ６２でオン・オフ制御するように形成されている。
さらに、コンバータ５２の出力、つまりインバータ５７の入力には、制御ケーブル２０のニクロム線３４が回生電流供給手段としてのヒータ用トランジスタ６４を介して接続されている。
【００１３】
ケーブル装置５０は、制御ケーブル２０の金属線３８の抵抗値から制御ケーブル２０の温度検出を行い、温度検出信号を発生して制御手段としての制御部６０に入力する温度検出器５８を有している。
制御部６０は、予め定められた基準温度信号を有しており、温度検出信号と基準温度信号とを比較して温度検出信号が基準温度信号を超えると、ヒータ用トランジスタ６４をオフし、温度検出信号が基準温度信号以下で、電圧検出器５８からの回生信号の発生により、ヒータ用トランジスタ６４をオン・オフするように形成されている。
【００１４】
上記のように構成されたエレベータのケーブル装置の動作を図１から図４を参照して説明する。
＜モータが力行状態＞
いま、エレベータのかご３が定格負荷で上昇運転しているとすると、モータ３が力行状態となり、インバータ５７からモータ３に電流が流れる。これにより、コンバータ５２の出力電圧が基準電圧信号よりも上昇しない。このため、電圧検出器５９から回生信号が発生しないので、回生用トランジスタ６２及びヒータ用トランジスタ６４がオフしたままとなる。
【００１５】
＜モータが回生状態で制御ケーブルの低温検出有り＞
次に、エレベータのかご７が定格負荷で下降運転しているとすると、モータ３が回生状態となり、モータ３からの回生電流がインバータ５７を介してコンデンサ５４を充電する。これにより、コンバータ５２の出力電圧が基準電圧値よりも上昇する。このため、電圧検出器５９から回生信号が発生する。
一方、制御ケーブル２０の温度検出器５８が制御ケーブル２０の温度が基準温度信号以下か否かを判断し、基準温度信号以下であれば、低温信号を発生する。
すると、制御部６０は、上記回生信号及び低温信号の発生によりヒータ用トランジスタ６４をオン・オフしてニクロム線３４に電流を流してニクロム線３４を発熱して制御ケーブル２０を暖める。
＜モータが回生状態で、温度検出器の低温信号が発生せず＞
制御部６０は、上記回生信号の発生、低温信号の不発生によりヒータ用トランジスタ６４をオフしてニクロム線３４に流れる電流を停止する。
【００１６】
上記エレベータの制御ケーブル装置は、昇降路２内に設けられると共に、制御盤１０とエレベータのかご７とを配線する制御ケーブル２０と、制御ケーブル２０の内部に設けられると共に、電流が流れることにより該制御ケーブル２０を暖めるニクロム線と、制御ケーブル２０の温度を検出して温度検出信号を発生する温度検出器５８と、かご７を駆動するモータ３からの回生電流をニクロム線に流すヒータ用トランジスタ６４と、温度検出信号に基づいてヒータ用トランジスタ６４からニクロム線に流れる電流を制御する制御部６０と、を備えたものである。
【００１７】
このように構成された制御ケーブル装置によれば、温度検出器５８が制御ケーブル２０の温度を検出して温度検出信号を発生し、制御部６０が温度検出信号に基づいてヒータ用トランジスタ６４によりモータ３からの回生電流をニクロム線３２に流すと共に、ニクロム線３２に流れる電流を制御したので、制御ケーブル２０を暖める電流を巻き上げモータ３からの回生電力から供給して省電力化を図ると共に、制御ケーブル２０の暖めすぎを防止できる。
【００１８】
上記エレベータの制御ケーブル装置における温度検出器５８の検出部は、制御ケーブル２０の内部に設けられた金属線２８である、ことが好ましい。この金属線３８を設けることにより、制御ケーブル２０の内部温度が簡易に検出できる。
【符号の説明】
【００１９】
２  昇降路、３  かご、１０  制御盤、２０  制御ケーブル、５８  温度検出器、６０  制御部、６４  ヒータ用トランジスタ。
【図１】
2010241531.tif 000003
【図２】
2010241531.tif 000004
【図３】
2010241531.tif 000005
【図４】
2010241531.tif 000006